(57)【要約】      （修正有）【課題】ユーザ端末（ＵＥ）のチャネル品質指示が高く推定されることを避ける。【解決手段】ＵＥからフィードバックされたチャネル状態情報（ＣＳＩ）と協調セルのプリコーディング行列とに基づいて、前記ＵＥに対応するセル間干渉電力の推定値が前記ＵＥに対応するセル間干渉電力の実際値以上になるように、前記ＵＥに対応するセル間干渉電力の推定値を決定し、前記ＵＥからフィードバックされたＣＳＩに基づいて、前記ＵＥに対応する信号電力を決定し、および、前記ＵＥに対応するセル間干渉電力の推定値と信号電力とに基づいて、チャネル品質指示を更新して、更新後のチャネル品質指示に基づいて、前記ＵＥに対して、ユーザスケジューリングを行う。ＵＥのチャネル品質指示が高く推定される状況の発生を効率的に避けることができ、データ伝送におけるブロック誤り率を大幅に低減させる。【選択図】図１
2013168915.tif 000002
【特許請求の範囲】
【請求項１】
チャネル品質指示の更新方法であって、
ユーザ端末（ＵＥ）からフィードバックされたチャネル状態情報（ＣＳＩ）と協調セルのプリコーディング行列とに基づいて、前記ＵＥに対応するセル間干渉電力の推定値が前記ＵＥに対応するセル間干渉電力の実際値以上になるように、前記ＵＥに対応するセル間干渉電力の推定値を決定し、
前記ＵＥからフィードバックされたＣＳＩに基づいて、前記ＵＥに対応する信号電力を決定し、
前記ＵＥに対応するセル間干渉電力の推定値と信号電力とに基づいて、チャネル品質指示を更新して、更新後のチャネル品質指示に基づいて、前記ＵＥに対して、ユーザスケジューリングを行う、
ことを含むことを特徴とする方法。
【請求項２】
ＵＥからフィードバックされたＣＳＩと協調セルのプリコーディング行列とに基づいて、前記ＵＥに対応するセル間干渉電力の推定値を決定することは、
ＵＥ受信機と干渉チャネルとがマッチングしていると仮定する条件で、ＵＥからフィードバックされたＣＳＩと協調セルのプリコーディング行列とに基づいて、前記ＵＥに対応するセル間干渉電力の推定値を決定する、ことを含む、
請求項１に記載の方法。
【請求項３】
ＵＥ受信機と干渉チャネルとがマッチングしていると仮定する条件で、ＵＥからフィードバックされたＣＳＩと協調セルのプリコーディング行列とに基づいて、前記ＵＥに対応するセル間干渉電力の推定値を決定することは、
数式
2013168915.tif 000077
によって、前記ＵＥに対応するセル間干渉電力の推定値を決定する、ことを含み、ここで、
ｎｒは、ＵＥの受信アンテナ数であり、Ｐｔは、協調セルの総送信電力であり、ｒｃは、ランク総数であり、Ｗｃは、協調セルの基地局のプリコーディング行列であり、Ｈｃは、協調セルの基地局から前記ＵＥへの無線チャネルであり、その特異値分解は、
2013168915.tif 000078
であり、ここで、
2013168915.tif 000079
は、固有ビーム形成時のマッチング受信方向を代表し、
2013168915.tif 000080
は、固有ビーム形成方向のチャネルゲインを代表し、および、
2013168915.tif 000081
は、固有ビーム形成方向を代表する、
請求項２に記載の方法。
【請求項４】
ＵＥからフィードバックされたＣＳＩと協調セルのプリコーディング行列とに基づいて、前記ＵＥに対応するセル間干渉電力の推定値を決定することは、
干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定する、ことを含む、
請求項１に記載の方法。
【請求項５】
干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定することは、
数式
2013168915.tif 000082
によって、前記ＵＥに対応するセル間干渉電力の推定値を決定する、ことを含み、ここで、
ｎｒは、ＵＥの受信アンテナ数であり、Ｐｔは、協調セルの総送信電力であり、ｒｃは、ランク総数であり、Ｗｃは、協調セルの基地局のプリコーディング行列であり、αｋは、角度変数であり、Ｈｃは、協調セルの基地局から前記ＵＥへの無線チャネルであり、その特異値分解は、
2013168915.tif 000083
であり、ここで、
2013168915.tif 000084
は、固有ビーム形成時のマッチング受信方向を代表し、
2013168915.tif 000085
は、固有ビーム形成方向のチャネルゲインを代表し、および、
2013168915.tif 000086
は、固有ビーム形成方向を代表する、
請求項４に記載の方法。
【請求項６】
ＵＥのデータ伝送結果（ＡＣＫ／ＮＡＣＫ）のフィードバックに基づいて、角度変数αｋを適応調整する、
ことをさらに含む請求項５に記載の方法。
【請求項７】
ＵＥに２本のアンテナが設けられる場合、数式
2013168915.tif 000087
によって、前記ＵＥに対応するセル間干渉電力の推定値を決定し、ここで、
Ｐｔは、協調セルの総送信電力であり、ｒｃは、ランク総数であり、Ｗｃは、協調セルの基地局のプリコーディング行列であり、βは、角度変数であり、Ｈｃは、協調セルの基地局から前記ＵＥへの無線チャネルであり、その特異値分解は、
2013168915.tif 000088
であり、ここで、
2013168915.tif 000089
は、固有ビーム形成時のマッチング受信方向を代表し、
2013168915.tif 000090
は、固有ビーム形成方向のチャネルゲインを代表し、および、
2013168915.tif 000091
は、固有ビーム形成方向を代表する、
請求項４に記載の方法。
【請求項８】
ＵＥのデータ伝送結果（ＡＣＫ／ＮＡＣＫ）のフィードバックに基づいて、角度変数βを適応調整する、
ことをさらに含む請求項７に記載の方法。
【請求項９】
ＵＥのデータ伝送結果（ＡＣＫ／ＮＡＣＫ）のフィードバックに基づいて、角度変数βを適応調整することは、
角度変数βをπ／２に初期化し、
ユーザがＮＡＣＫをフィードバックする場合、角度変数βの値を第１ステップサイズΔ増加させ（β＝β＋Δにし）、かつ、β≦π／２を保証し、
ユーザがＡＣＫをフィードバックする場合、角度変数βの値を第２ステップサイズδ減少させ（β＝β−δにし）、かつ、β≧０を保証する、ことを含み、
ここで、前記第１ステップサイズΔおよび第２ステップサイズδは、０とπ／２との間にある２つの定数値である、
請求項８に記載の方法。
【請求項１０】
前記第１ステップサイズΔおよび第２ステップサイズδは、０＜δ＜Δ＜π／２を満たす、
請求項９に記載の方法。
【請求項１１】
ＵＥからフィードバックされたＣＳＩと協調セルのプリコーディング行列とに基づいて、前記ＵＥに対応するセル間干渉電力の推定値を決定することは、
ＵＥ受信機と干渉チャネルがマッチングしているとともに干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定する、ことを含む、
請求項１に記載の方法。
【請求項１２】
ＵＥ受信機と干渉チャネルとがマッチングしているとともに干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定することは、
数式
2013168915.tif 000092
によって、前記ＵＥに対応するセル間干渉電力の推定値を決定する、ことを含み、ここで、
ｎｒは、ＵＥの受信アンテナ数であり、Ｐｔは、協調セルの総送信電力であり、ｒｃは、ランク総数であり、Ｗｃは、協調セルの基地局のプリコーディング行列であり、Ｈｃは、協調セルの基地局から前記ＵＥへの無線チャネルであり、その特異値分解は、
2013168915.tif 000093
であり、ここで、
2013168915.tif 000094
は、固有ビーム形成時のマッチング受信方向を代表し、
2013168915.tif 000095
は、固有ビーム形成方向のチャネルゲインを代表し、および、
2013168915.tif 000096
は、固有ビーム形成方向を代表する、
請求項１１に記載の方法。
【請求項１３】
チャネル品質指示の更新装置であって、
ユーザ端末（ＵＥ）からフィードバックされたチャネル状態情報（ＣＳＩ）と協調セルのプリコーディング行列とに基づいて、前記ＵＥに対応するセル間干渉電力の推定値が前記ＵＥに対応するセル間干渉電力の実際値以上になるように、前記ＵＥに対応するセル間干渉電力の推定値を決定するセル間干渉電力決定手段と、
該ＵＥからフィードバックされたＣＳＩに基づいて、該ＵＥに対応する信号電力を決定する信号電力決定手段と、
該ＵＥに対応するセル間干渉電力の推定値と信号電力とに基づいて、基地局が更新後のＣＱＩに基づいて該ＵＥに対してユーザスケジューリングを行えるように、ＣＱＩを更新するチャネル品質指示更新手段と、
を含むことを特徴とする装置。
【請求項１４】
セル間干渉電力決定手段は、ＵＥ受信機と干渉チャネルとがマッチングしていると仮定する条件で、ＵＥからフィードバックされたＣＳＩと協調セルのプリコーディング行列とに基づいて、前記ＵＥに対応するセル間干渉電力の推定値を決定する、
請求項１３に記載の装置。
【請求項１５】
セル間干渉電力決定手段は、数式
2013168915.tif 000097
によって、前記ＵＥに対応するセル間干渉電力の推定値を決定し、ここで、
ｎｒは、ＵＥの受信アンテナ数であり、Ｐｔは、協調セルの総送信電力であり、ｒｃは、ランク総数であり、Ｗｃは、協調セルの基地局のプリコーディング行列であり、Ｈｃは、協調セルの基地局から前記ＵＥへの無線チャネルであり、その特異値分解は、
2013168915.tif 000098
であり、ここで、
2013168915.tif 000099
は、固有ビーム形成時のマッチング受信方向を代表し、
2013168915.tif 000100
は、固有ビーム形成方向のチャネルゲインを代表し、および、
2013168915.tif 000101
は、固有ビーム形成方向を代表する、
請求項１４に記載の装置。
【請求項１６】
セル間干渉電力決定手段は、干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定する、
請求項１３に記載の装置。
【請求項１７】
セル間干渉電力決定手段は、数式
2013168915.tif 000102
によって、前記ＵＥに対応するセル間干渉電力の推定値を決定し、ここで、
ｎｒは、ＵＥの受信アンテナ数であり、Ｐｔは、協調セルの総送信電力であり、ｒｃは、ランク総数であり、Ｗｃは、協調セルの基地局のプリコーディング行列であり、αｋは、角度変数であり、Ｈｃは、協調セルの基地局から前記ＵＥへの無線チャネルであり、その特異値分解は、
2013168915.tif 000103
であり、ここで、
2013168915.tif 000104
は、固有ビーム形成時のマッチング受信方向を代表し、
2013168915.tif 000105
は、固有ビーム形成方向のチャネルゲインを代表し、および、
2013168915.tif 000106
は、固有ビーム形成方向を代表する、
請求項１６に記載の装置。
【請求項１８】
セル間干渉電力決定手段は、ＵＥのデータ伝送結果（ＡＣＫ／ＮＡＣＫ）のフィードバックに基づいて、角度変数αｋを適応調整する角度変数調整モジュールを含む、
請求項１７に記載の装置。
【請求項１９】
ＵＥに２本のアンテナが設けられる場合、セル間干渉電力決定手段は、数式
2013168915.tif 000107
によって、前記ＵＥに対応するセル間干渉電力の推定値を決定し、ここで、
Ｐｔは、協調セルの総送信電力であり、ｒｃは、ランク総数であり、Ｗｃは、協調セルの基地局のプリコーディング行列であり、βは、角度変数であり、Ｈｃは、協調セルの基地局から前記ＵＥへの無線チャネルであり、その特異値分解は、
2013168915.tif 000108
であり、ここで、
2013168915.tif 000109
は、固有ビーム形成時のマッチング受信方向を代表し、
2013168915.tif 000110
は、固有ビーム形成方向のチャネルゲインを代表し、および、
2013168915.tif 000111
は、固有ビーム形成方向を代表する、
請求項１６に記載の装置。
【請求項２０】
セル間干渉電力決定手段は、ＵＥのデータ伝送結果（ＡＣＫ／ＮＡＣＫ）のフィードバックに基づいて、角度変数βを適応調整する角度変数調整モジュールを含む、
請求項１９に記載の装置。
【請求項２１】
セル間干渉電力決定手段は、ＵＥ受信機と干渉チャネルとがマッチングしているとともに干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定する、
請求項１３に記載の装置。
【請求項２２】
セル間干渉電力決定手段は、数式
2013168915.tif 000112
によって、前記ＵＥに対応するセル間干渉電力の推定値を決定し、ここで、
ｎｒは、ＵＥの受信アンテナ数であり、Ｐｔは、協調セルの総送信電力であり、ｒｃは、ランク総数であり、Ｗｃは、協調セルの基地局のプリコーディング行列であり、Ｈｃは、協調セルの基地局から前記ＵＥへの無線チャネルであり、その特異値分解は
2013168915.tif 000113
であり、ここで、
2013168915.tif 000114
は、固有ビーム形成時のマッチング受信方向を代表し、
2013168915.tif 000115
は、固有ビーム形成方向のチャネルゲインを代表し、および、
2013168915.tif 000116
は、固有ビーム形成方向を代表する、
請求項２１に記載の装置。
【発明の詳細な説明】
【技術分野】
【０００１】
本発明は、無線通信技術に関し、特に、チャネル品質指示（ＣＱＩ）の更新方法およびその装置に関する。
【背景技術】
【０００２】
協調マルチポイント（ＣｏＭＰ）伝送において、例えば、協調マルチポイント−協調スケジューリング／協調ビーム形成（ＣｏＭＰ−ＣＳ／ＣＢ）伝送において、基地局（ｅＮＢ）は、ユーザ端末（ＵＥ）からフィードバックされたチャネル状態情報（ＣＳＩ）に基づいて、ＣＱＩの更新を行い、それから、更新後のＣＱＩに基づいて、ユーザスケジューリングを行う。
【発明の概要】
【発明が解決しようとする課題】
【０００３】
しかしながら、基地局は、ＵＥから知ることができるＣＳＩに非常に限りがあるため、ＵＥのＣＱＩを正確に更新できない。つまり、基地局は、ＵＥのＣＱＩを高く推定または低く推定することが多いため、精確なユーザスケジューリングを実現できない。特に、ＵＥのＣＱＩが高く推定された場合、高く推定されたＣＱＩに基づいてユーザスケジューリングを行った後、該ＵＥに対して、比較的高い変調・符号化方式（ＭＣＳ）を採用してデータ伝送を行うことになる。これは、往々にしてデータ伝送失敗の原因になり、非常に高いブロック誤り率（ＢＬＥＲ）につながるとともに、大量データの再送を引き起こす。これにより、ネットワークスループットを大幅に低減させる。
【課題を解決するための手段】
【０００４】
上記の課題を解決するために、本発明の実施例は、ＵＥのチャネル品質指示が高く推定されることを避けるように、チャネル品質指示の更新方法およびその装置を提供している。これにより、データ伝送におけるブロック誤り率を大幅に低減させる。
【０００５】
本発明の実施例で提供されているチャネル品質指示の更新方法は、
ＵＥからフィードバックされたＣＳＩと協調セルのプリコーディング行列とに基づいて、前記ＵＥに対応するセル間干渉電力の推定値が前記ＵＥに対応するセル間干渉電力の実際値以上になるように、前記ＵＥに対応するセル間干渉電力の推定値を決定し、
前記ＵＥからフィードバックされたＣＳＩに基づいて、前記ＵＥに対応する信号電力を決定し、
前記ＵＥに対応するセル間干渉電力の推定値と信号電力とに基づいて、チャネル品質指示を更新して、更新後のチャネル品質指示に基づいて、前記ＵＥに対して、ユーザスケジューリングを行う、ことを含む。
【０００６】
ここで、ＵＥからフィードバックされたＣＳＩと協調セルのプリコーディング行列とに基づいて、前記ＵＥに対応するセル間干渉電力の推定値を決定することは、ＵＥ受信機と干渉チャネルとがマッチングしていると仮定する条件で、ＵＥからフィードバックされたＣＳＩと協調セルのプリコーディング行列とに基づいて、前記ＵＥに対応するセル間干渉電力の推定値を決定する、ことを含む。
【０００７】
ＵＥ受信機と干渉チャネルとがマッチングしていると仮定する条件で、ＵＥからフィードバックされたＣＳＩと協調セルのプリコーディング行列とに基づいて、前記ＵＥに対応するセル間干渉電力の推定値を決定することは、数式
2013168915.tif 000003
によって、前記ＵＥに対応するセル間干渉電力の推定値を決定する、ことを含み、ここで、ｎｒは、ＵＥの受信アンテナ数であり、Ｐｔは、協調セルの総送信電力であり、ｒｃは、ランク総数であり、Ｗｃは、協調セルの基地局のプリコーディング行列であり、Ｈｃは、協調セルの基地局から前記ＵＥへの無線チャネルであり、その特異値分解は、
2013168915.tif 000004
であり、ここで、
2013168915.tif 000005
は、固有ビーム形成時のマッチング受信方向を代表し、
2013168915.tif 000006
は、固有ビーム形成方向のチャネルゲインを代表し、および、
2013168915.tif 000007
は、固有ビーム形成方向を代表する。
【０００８】
あるいは、ＵＥからフィードバックされたＣＳＩと協調セルのプリコーディング行列とに基づいて、前記ＵＥに対応するセル間干渉電力の推定値を決定することは、干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定する、ことを含む。
【０００９】
干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定することは、数式
2013168915.tif 000008
によって、前記ＵＥに対応するセル間干渉電力の推定値を決定する、ことを含み、ここで、ｎｒは、ＵＥの受信アンテナ数であり、Ｐｔは、協調セルの総送信電力であり、ｒｃは、ランク総数であり、Ｗｃは、協調セルの基地局のプリコーディング行列であり、αｋは、角度変数であり、Ｈｃは、協調セルの基地局から前記ＵＥへの無線チャネルであり、その特異値分解は、
2013168915.tif 000009
であり、ここで、
2013168915.tif 000010
は、固有ビーム形成時のマッチング受信方向を代表し、
2013168915.tif 000011
は、固有ビーム形成方向のチャネルゲインを代表し、および、
2013168915.tif 000012
は、固有ビーム形成方向を代表する。
【００１０】
上記の方法は、ＵＥのデータ伝送結果（ＡＣＫ／ＮＡＣＫ）のフィードバックに基づいて、角度変数αｋを適応調整する、ことをさらに含む。
【００１１】
ＵＥに２本のアンテナが設けられる場合、数式
2013168915.tif 000013
によって、前記ＵＥに対応するセル間干渉電力の推定値を決定し、ここで、Ｐｔは、協調セルの総送信電力であり、ｒｃは、ランク総数であり、Ｗｃは、協調セルの基地局のプリコーディング行列であり、βは、角度変数であり、Ｈｃは、協調セルの基地局から前記ＵＥへの無線チャネルであり、その特異値分解は、
2013168915.tif 000014
であり、ここで、
2013168915.tif 000015
は、固有ビーム形成時のマッチング受信方向を代表し、
2013168915.tif 000016
は、固有ビーム形成方向のチャネルゲインを代表し、および、
2013168915.tif 000017
は、固有ビーム形成方向を代表する。
【００１２】
上記の方法は、ＵＥのデータ伝送結果（ＡＣＫ／ＮＡＣＫ）のフィードバックに基づいて、角度変数βを適応調整する、ことをさらに含む。
【００１３】
ＵＥのデータ伝送結果（ＡＣＫ／ＮＡＣＫ）のフィードバックに基づいて、角度変数βを適応調整することは、角度変数βをπ／２に初期化し、ユーザがＮＡＣＫをフィードバックする場合、角度変数βの値を第１ステップサイズΔ増加させ（β＝β＋Δにし）、かつ、β≦π／２を保証し、ユーザがＡＣＫをフィードバックする場合、角度変数βの値を第２ステップサイズδ減少させ（β＝β−δにし）、かつ、β≧０を保証する、ことを含み、ここで、前記第１ステップサイズΔおよび第２ステップサイズδは、０とπ／２との間にある２つの定数値である。ここで、前記第１ステップサイズΔとおよび第２ステップサイズδは、０＜δ＜Δ＜π／２を満たす。
【００１４】
またあるいは、ＵＥからフィードバックされたＣＳＩと協調セルのプリコーディング行列とに基づいて、前記ＵＥに対応するセル間干渉電力の推定値を決定することは、ＵＥ受信機と干渉チャネルがマッチングしているとともに干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定する、ことを含む。
【００１５】
ここで、ＵＥ受信機と干渉チャネルとがマッチングしているとともに干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定することは、数式
2013168915.tif 000018
によって、前記ＵＥに対応するセル間干渉電力の推定値を決定する、ことを含み、ここで、ｎｒは、ＵＥの受信アンテナ数であり、Ｐｔは、協調セルの総送信電力であり、ｒｃは、ランク総数であり、Ｗｃは、協調セルの基地局のプリコーディング行列であり、Ｈｃは、協調セルの基地局から前記ＵＥへの無線チャネルであり、その特異値分解は、
2013168915.tif 000019
であり、ここで、
2013168915.tif 000020
は、固有ビーム形成時のマッチング受信方向を代表し、
2013168915.tif 000021
は、固有ビーム形成方向のチャネルゲインを代表し、および、
2013168915.tif 000022
は、固有ビーム形成方向を代表する。
【００１６】
本発明の実施例に係る更新装置は、
ユーザ端末（ＵＥ）からフィードバックされたチャネル状態情報（ＣＳＩ）と協調セルのプリコーディング行列とに基づいて、前記ＵＥに対応するセル間干渉電力の推定値が前記ＵＥに対応するセル間干渉電力の実際値以上になるように、前記ＵＥに対応するセル間干渉電力の推定値を決定するセル間干渉電力決定手段と、
該ＵＥからフィードバックされたＣＳＩに基づいて、該ＵＥに対応する信号電力を決定する信号電力決定手段と、
該ＵＥに対応するセル間干渉電力の推定値と信号電力とに基づいて、基地局が更新後のＣＱＩに基づいて該ＵＥに対してユーザスケジューリングを行えるように、ＣＱＩを更新するチャネル品質指示更新手段と、を含む。
【００１７】
ここで、セル間干渉電力決定手段は、ＵＥ受信機と干渉チャネルとがマッチングしていると仮定する条件で、ＵＥからフィードバックされたＣＳＩと協調セルのプリコーディング行列とに基づいて、前記ＵＥに対応するセル間干渉電力の推定値を決定する。ここで、セル間干渉電力決定手段は、数式
2013168915.tif 000023
によって、前記ＵＥに対応するセル間干渉電力の推定値を決定し、ここで、ｎｒは、ＵＥの受信アンテナ数であり、Ｐｔは、協調セルの総送信電力であり、ｒｃは、ランク総数であり、Ｗｃは、協調セルの基地局のプリコーディング行列であり、Ｈｃは、協調セルの基地局から前記ＵＥへの無線チャネルであり、その特異値分解は、
2013168915.tif 000024
であり、ここで、
2013168915.tif 000025
は、固有ビーム形成時のマッチング受信方向を代表し、
2013168915.tif 000026
は、固有ビーム形成方向のチャネルゲインを代表し、および、
2013168915.tif 000027
は、固有ビーム形成方向を代表する。
【００１８】
あるいは、セル間干渉電力決定手段は、干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定する。ここで、セル間干渉電力決定手段は、数式
2013168915.tif 000028
によって、前記ＵＥに対応するセル間干渉電力の推定値を決定し、ここで、ｎｒは、ＵＥの受信アンテナ数であり、Ｐｔは、協調セルの総送信電力であり、ｒｃは、ランク総数であり、Ｗｃは、協調セルの基地局のプリコーディング行列であり、αｋは、角度変数であり、Ｈｃは、協調セルの基地局から前記ＵＥへの無線チャネルであり、その特異値分解は、
2013168915.tif 000029
であり、ここで、
2013168915.tif 000030
は、固有ビーム形成時のマッチング受信方向を代表し、
2013168915.tif 000031
は、固有ビーム形成方向のチャネルゲインを代表し、および、
2013168915.tif 000032
は、固有ビーム形成方向を代表する。ここで、セル間干渉電力決定手段は、ＵＥのデータ伝送結果（ＡＣＫ／ＮＡＣＫ）のフィードバックに基づいて、角度変数αｋを適応調整する角度変数調整モジュールを含む。
【００１９】
ＵＥに２本のアンテナが設けられる場合、セル間干渉電力決定手段は、数式
2013168915.tif 000033
によって、前記ＵＥに対応するセル間干渉電力の推定値を決定し、ここで、Ｐｔは、協調セルの総送信電力であり、ｒｃは、ランク総数であり、Ｗｃは、協調セルの基地局のプリコーディング行列であり、βは、角度変数であり、Ｈｃは、協調セルの基地局から前記ＵＥへの無線チャネルであり、その特異値分解は、
2013168915.tif 000034
であり、ここで、
2013168915.tif 000035
は、固有ビーム形成時のマッチング受信方向を代表し、
2013168915.tif 000036
は、固有ビーム形成方向のチャネルゲインを代表し、および、
2013168915.tif 000037
は、固有ビーム形成方向を代表する。ここで、セル間干渉電力決定手段は、ＵＥのデータ伝送結果（ＡＣＫ／ＮＡＣＫ）のフィードバックに基づいて、角度変数角度変数βを適応調整する角度変数調整モジュールを含む。
【００２０】
またあるいは、セル間干渉電力決定手段は、ＵＥ受信機と干渉チャネルとがマッチングしているとともに干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定する。ここで、セル間干渉電力決定手段は、数式
2013168915.tif 000038
によって、前記ＵＥに対応するセル間干渉電力の推定値を決定し、ここで、ｎｒは、ＵＥの受信アンテナ数であり、Ｐｔは、協調セルの総送信電力であり、ｒｃは、ランク総数であり、Ｗｃは、協調セルの基地局のプリコーディング行列であり、Ｈｃは、協調セルの基地局から前記ＵＥへの無線チャネルであり、その特異値分解は
2013168915.tif 000039
であり、ここで、
2013168915.tif 000040
は、固有ビーム形成時のマッチング受信方向を代表し、
2013168915.tif 000041
は、固有ビーム形成方向のチャネルゲインを代表し、および、
2013168915.tif 000042
は、固有ビーム形成方向を代表する。
【発明の効果】
【００２１】
上記のように、本発明の実施例で提供されるチャネル品質指示の更新方法およびその装置において、基地局は、セル間干渉（ＩＣＩ）電力推定を行う際に、決定されたあるＵＥに対応するセル間干渉電力の推定値が該ＵＥに対応するセル間干渉電力の実際値以上になると保証することにより、更新後のＵＥのチャネル品質指示が高く推定されることがないと保証して、データ伝送におけるブロック誤り率を低減させる。
【図面の簡単な説明】
【００２２】
【図１】本発明の実施例に係るＣＱＩの更新方法のフロチャートである。
【図２】本発明の実施例に係るＣＱＩの更新装置の内部構成を示す図である。
【発明を実施するための形態】
【００２３】
本発明の目的、解決手段およびメリットをさらに明確にするために、以下、図面および実施例を参照して本発明をさらに詳しく説明する。ここで述べる具体的な実施例は、本発明を解釈するものにすぎず、本発明を限定するものではないと解されるべきである。
【００２４】
基地局がＵＥからフィードバックされたＣＳＩに基づいてチャネル品質指示（ＣＱＩ）を更新する際に、基地局は、まず、自局のカバー範囲内のあるＵＥからフィードバックされたＣＳＩと協調セルのプリコーディング行列とに基づいて、該ＵＥに対して、セル間干渉電力推定と信号電力推定とを行い、それから、推定された該ＵＥに対応するセル間干渉電力と信号電力とに基づいて、該ＵＥのＣＱＩを更新する。基地局は、ＵＥから知ることができるＣＳＩに非常に限りがあるため、基地局によるＵＥの受けるフィードバック集合内の各セルからの干渉への推定は正確ではない。つまり、基地局による該ＵＥに対応するセル間干渉電力への推定が正確ではない。これにより、ＵＥのＣＱＩの正確な更新を実現できなく、ＵＥのＣＱＩが高く推定または低く推定される状況がよく発生する。特に、ＵＥのＣＱＩが高く推定された場合、基地局は、高く推定されたＣＱＩに基づいてユーザスケジューリングを行うことになり、結果として、該ＵＥに対して、比較的高いＭＣＳを採用してデータ伝送を行うことになる。これは、往々にしてデータ伝送失敗の原因になり、非常に高いブロック誤り率につがなるとともに、大量データの再送およびネットワークスループットの大幅低減という厳しい結果になってしまう。
【００２５】
そのため、本発明の実施例は、ＣＱＩが高く推定されることを効率的に避けるように、ＣＱＩの更新方法を提供している。該方法は、通常、基地局によって実行される。
【００２６】
図１は、本実施例に係るＣＱＩの更新方法のフローを示す。図１に示すように、該方法は、下記のステップを含む。
【００２７】
ステップ１０１で、ＵＥからフィードバックされたＣＳＩと協調セルのプリコーディング行列とに基づいて、該ＵＥに対応するセル間干渉電力の推定値を決定し、ここで、決定された該ＵＥに対応するセル間干渉電力の推定値は、該ＵＥに対応するセル間干渉電力の実際値以上になる。
【００２８】
ステップ１０２で、該ＵＥからフィードバックされたＣＳＩに基づいて、該ＵＥに対応する信号電力を決定する。
【００２９】
ＵＥからフィードバックされたＣＳＩにはＣＱＩ情報が含まれているので、本ステップでは、ＵＥからフィードバックされたＣＱＩ情報に基づいて、該ＵＥに対応する信号電力を直接に決定することができる。説明すべきものとして、ＵＥからフィードバックされたＣＱＩ情報には、協調グループ内からの干渉が考慮されていない。そのため、本発明に係るＣＱＩの更新を行う必要がある。
【００３０】
ステップ１０３で、該ＵＥに対応するセル間干渉電力の推定値と信号電力とに基づいて、ＣＱＩを更新して、更新後のＣＱＩに基づいて、該ＵＥに対して、ユーザスケジューリングを行う。
【００３１】
該ステップでは、該ＵＥに対応するセル間干渉電力の推定値と信号電力とに基づいて、ＣＱＩを更新する具体的な方法は、３ＧＰＰからの関連提案を参照することができる。
【００３２】
上記の方法から分かるように、上記ステップ１０１で決定されたＵＥに対応するセル間干渉電力の推定値は、該ＵＥに対応するセル間干渉電力の実際値以上になるため、つまり、該ＵＥの受ける協調セルからの干渉電力以上になるため、ステップ１０３における方法で更新されたＣＱＩは、ＣＱＩの実際値以下になる。つまり、該方法によれば、相対的に保守的なＣＱＩを得ることができ、即ち、実際のＣＱＩの下限を得ることができる。これにより、ＣＱＩが高く推定される状況の発生を効率的に避け、ＣＱＩが高く推定されることに起因する高いブロック誤り率および大量データの再送などの問題を解決する。
【００３３】
以下、上記ステップ１０１における前記ＵＥからフィードバックされたＣＳＩと協調セルのプリコーディング行列とに基づいて、該ＵＥに対応するセル間干渉電力の推定値を決定する方法を詳しく説明する。
【００３４】
説明の便宜上、下記のように定義する。即ち、ＵＥの受信アンテナ数は、ｎｒであり、あるデータストリームに対して、その電力正規化線形受信機は、ｇであり、協調セルの総送信電力は、Ｐｔであり、ランク総数は、ｒｃであり、協調セルの基地局のプリコーディング行列は、Ｗｃであり、協調セルの基地局からユーザへの無線チャネルは、Ｈｃであり、その特異値分解は、
2013168915.tif 000043
であり、ここで、
2013168915.tif 000044
は、固有ビーム形成時のマッチング受信方向を代表し、
2013168915.tif 000045
は、固有ビーム形成方向のチャネルゲインを代表し、および、
2013168915.tif 000046
は、固有ビーム形成方向を代表する。この場合、ＵＥに対応するセル間干渉の実際値は、下記の数式１によって算出することができる。
［数式１］
2013168915.tif 000047
【００３５】
上記の数式１から導出することで、下記の数式２に示す表現式を得ることができる。
［数式２］
2013168915.tif 000048
ここで、
2013168915.tif 000049
であり、
2013168915.tif 000050
であり、
2013168915.tif 000051
であり、
2013168915.tif 000052
であり、
2013168915.tif 000053
であり、
2013168915.tif 000054
である。
【００３６】
ＵＥからフィードバックされたＣＳＩに基づいて、基地局は、下記のことを知ることができる。即ち、上記の数式２における協調セルの総送信電力は、Ｐｔであり、ランク総数は、ｒｃであり、プリコーディング行列は、Ｗｃであり、並びに、
2013168915.tif 000055
および
2013168915.tif 000056
である。しかし、ＵＥからフィードバックされたＣＳＩは限りがあるので、基地局は、
2013168915.tif 000057
および
2013168915.tif 000058
（あるいは、上記の数式２におけるαｋ，αｌおよびθｋ，θｌ）
2013168915.tif 000059
を知ることができないため、ＵＥに対応するセル間干渉の実際値を正確に算出できず、つまり、ＵＥの受ける協調セルからの干渉を完全に正確に推定することができない。
【００３７】
本実施例において、保守的なＣＱＩ推定値を得るために、基地局は、セル間干渉電力の推定値を決定する際に、決定されたセル間干渉電力の推定値が該ＵＥに対応するセル間干渉電力の実際値以上になると保証する必要があり、つまり、セル間干渉電力の実際値の上限を決定する必要がある。具体的に、下記の３つの方法のいずれかを採用して実現することができる。
【００３８】
方法１
ＵＥ受信機と干渉チャネルとがマッチングしていると仮定する条件で、ＵＥからフィードバックされたＣＳＩと協調セルのプリコーディング行列とに基づいて、前記ＵＥに対応するセル間干渉電力の推定値を決定する。即ち、受信機ｇと、協調セルの各データストリームのそれぞれとが完全にマッチングしていると仮定し、また、
2013168915.tif 000060
の位相を無視し、つまり、
2013168915.tif 000061
にする。この場合、
2013168915.tif 000062
を満足すれば、下記の数式３に示すように、ＵＥに対応するセル間干渉の上限を得ることができる。
［数式３］
2013168915.tif 000063
【００３９】
基地局は、上記の数式３を用いて、ＵＥに対応するセル間干渉電力の推定値を決定することができる。明らかなように、上記の数式３によって算出されたＵＥに対応するセル間干渉電力の推定値
2013168915.tif 000064
は、該ＵＥに対応するセル間干渉電力の実際値
2013168915.tif 000065
以上になる。
【００４０】
方法２
ＵＥ受信機と干渉チャネルとがマッチングしているとともに干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定する。該方法では、基地局は、下記の数式４を用いて、ＵＥに対応するセル間干渉電力の推定値を決定する。
［数式４］
2013168915.tif 000066
【００４１】
明らかなように、上記の数式４によって算出されたＵＥに対応するセル間干渉電力の推定値
2013168915.tif 000067
は、該ＵＥに対応するセル間干渉電力の実際値
2013168915.tif 000068
以上になる。
【００４２】
方法３
干渉チャネルと協調セルのプリコーディング行列とが最大程度でマッチングすることができると仮定する条件で、ＵＥからフィードバックされたＣＳＩと協調セルのプリコーディング行列とに基づいて、前記ＵＥに対応するセル間干渉電力の推定値を決定する。数式２に示す計算式の等式右辺の多項式をさらに拡大することで、下記の数式５を得ることができる。基地局は、下記の数式５を用いて、ＵＥに対応するセル間干渉電力の推定値を決定する。明らかなように、余弦関数の値が１以下であるため、下記の数式５によって算出されたＵＥに対応するセル間干渉電力の推定値
2013168915.tif 000069
は、該ＵＥに対応するセル間干渉電力の実際値
2013168915.tif 000070
以上になる。
［数式５］
2013168915.tif 000071
【００４３】
ここで、
2013168915.tif 000072
であり、
2013168915.tif 000073
である。明らかなように、ｎｒ本の受信アンテナを有するユーザにとっては、合計ｎｒ個の角度パラメータがある。この場合、基地局は、ＵＥのデータ伝送結果（ＡＣＫ／ＮＡＣＫ）のフィードバックを利用して、このｎｒ個の角度パラメータαｋを適応調整することができる。
【００４４】
特に、２本のアンテナ（ｎｒ＝２）を例として、この場合、ベクトル
2013168915.tif 000074
、即ち、ベクトルｕ１とｕ２とが直交することに気づくことができる。これにより、α１＋α２＝π／２が満足される。この場合、上記の数式５から、さらに、下記の数式６を導出することができる。
［数式６］
2013168915.tif 000075
ここで、
2013168915.tif 000076
である。
【００４５】
該方法では、基地局は、角度変数βの値を予め決定し、それから、上記の数式６によって、該ＵＥに対応するセル間干渉電力の推定値を決定することができる。代替案として、基地局は、まず、ＵＥのデータ伝送結果（ＡＣＫ／ＮＡＣＫ）のフィードバックを利用して、角度変数βを適応調整し、それから、調整された角度変数βと上記の数式６とに基づいて、該ＵＥに対応するセル間干渉電力の推定値を決定することもできる。具体的に、角度変数βを適応調整する方法は、下記のステップを含む。
【００４６】
ステップ１で、角度変数βをπ／２に初期化する。
【００４７】
ステップ２で、ユーザからフィードバックされたデータ伝送結果（ＡＣＫ／ＮＡＣＫ）に基づいて、角度βに対して、下記のような適応調整を行う。具体的に、下記のことを含む。
Ａ）ユーザがＮＡＣＫをフィードバックする場合、角度βの値を第１ステップサイズΔ増加させ、つまり、β＝β＋Δにし、かつ、β≦π／２を保証する。
Ｂ）ユーザがＡＣＫをフィードバックする場合、角度βの値を第２ステップサイズδ減少させ、つまり、β＝β−δにし、かつ、β≧０を保証する。
【００４８】
ここで、上記の第１ステップサイズΔおよび第２ステップサイズδは、０とπ／２との間にある２つの定数値であり、この２つの値は等しくてもよく、等しなくてもよい。好ましくは、データ伝送エラー（ＮＡＣＫ）が発生する際に、ＵＥに対応するセル間干渉電力の上限に快速にロールバックできるために、一般的に、０＜δ＜Δ＜π／２にする。
【００４９】
上記のチャネル品質指示の更新方法に対応して、本発明の実施例は、基地局に応用されるチャネル品質指示の更新装置も提供している。図２に示すように、該装置の内部構成は、主に、
ＵＥからフィードバックされたＣＳＩと協調セルのプリコーディング行列とに基づいて、決定された該ＵＥに対応するセル間干渉電力の推定値が該ＵＥに対応するセル間干渉電力の実際値以上になるように、該ＵＥに対応するセル間干渉電力の推定値を決定するセル間干渉電力決定手段２０１と、
該ＵＥからフィードバックされたＣＳＩに基づいて、該ＵＥに対応する信号電力を決定する信号電力決定手段２０２と、
該ＵＥに対応するセル間干渉電力の推定値と信号電力とに基づいて、基地局が更新後のＣＱＩに基づいて該ＵＥに対してユーザスケジューリングを行えるように、ＣＱＩを更新するチャネル品質指示更新手段２０３と、を含む。
【００５０】
具体的に、上記のセル間干渉電力決定手段２０１は、上記の方法１、方法２および方法３における方法のうちの１つに従って、ＵＥに対応するセル間干渉電力の推定値を決定することができる。
【００５１】
上記の方法２を用いて、ＵＥに対応するセル間干渉電力の推定値を決定する際に、上記のセル間干渉電力決定手段２０１は、ＵＥのデータ伝送結果（ＡＣＫ／ＮＡＣＫ）のフィードバックに基づいて、角度変数αｋを適応調整する角度変数調整モジュールを含む。
【００５２】
上記の方法３を用いて、ＵＥに対応するセル間干渉電力の推定値を決定する際に、上記のセル間干渉電力決定手段２０１は、
ＵＥのデータ伝送結果（ＡＣＫ／ＮＡＣＫ）のフィードバックに基づいて、角度変数βを適応調整する角度変数調整モジュールと、
上記の数式６によって、前記ＵＥに対応するセル間干渉電力の推定値を決定するセル間干渉電力決定モジュールと、を含む。
【００５３】
上記のチャネル品質指示の更新装置から分かるように、セル間干渉電力決定手段２０１により決定されたＵＥに対応するセル間干渉電力の推定値が、該ＵＥに対応するセル間干渉電力の実際値以上になるため、つまり、該ＵＥの受ける協調セルからの干渉電力以上になるため、チャネル品質指示更新手段２０３により更新されたＣＱＩは、ＣＱＩの実際値以下になり、つまり、相対的に保守的なＣＱＩ、即ち、実際のＣＱＩの下限を得ることができる。これにより、ＣＱＩが高く推定される状況の発生を効率的に避け、ＣＱＩが高く推定されることに起因する高いブロック誤り率および大量データの再送などの問題を解決する。
【００５４】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【００５５】
２０１  セル間干渉電力決定手段
２０２  信号電力決定手段
２０３  チャネル品質指示更新手段
【図１】
2013168915.tif 000117
【図２】
2013168915.tif 000118